(57)【要約】【課題】  情報処理装置の省電力化を図る。【解決手段】  各種の接続ポートが設けられた外部接続用拡張装置４と、該外部接続用拡張装置が接続される装置本体２と、該装置本体に取り付けられるバッテリー３とを備えた情報処理装置１において、外部接続用拡張装置、装置本体及びバッテリーの電力状態を監視し、外部接続用拡張装置、装置本体及びバッテリーの合計の消費電力Ｔが一定値Ｄ以上となったときに、バッテリーの充電電力を制限して装置本体及びバッテリーの合計の消費電力Ｔが所定値Ｅ’を越えないように制御した。【選択図】図６
2005321973.tif 000002
【特許請求の範囲】
【請求項１】
各種の接続ポートが設けられ該接続ポートに外部接続機器が接続される外部接続用拡張装置と、該外部接続用拡張装置が接続される装置本体と、該装置本体に取り付けられるバッテリーとを備えた情報処理装置であって、
外部接続用拡張装置、装置本体及びバッテリーの電力状態を監視し、外部接続用拡張装置、装置本体及びバッテリーの合計の消費電力が一定値以上となったときに、バッテリーの充電電力を制限して装置本体及びバッテリーの合計の消費電力が所定値を越えないように制御した
ことを特徴とする情報処理装置。
【請求項２】
外部接続用拡張装置、装置本体及びバッテリーの合計の消費電力が上記一定値未満の場合に、装置本体及びバッテリーの合計の消費電力が規定値を越えないように制御し、
外部接続用拡張装置、装置本体及びバッテリーの合計の消費電力が上記一定値以上となった場合に、装置本体及びバッテリーの合計の消費電力が規定値より低い上記所定値を越えないように制御した
ことを特徴とする請求項１に記載の情報処理装置。
【請求項３】
各種の接続ポートが設けられ該接続ポートに外部接続機器が接続される外部接続用拡張装置と、該外部接続用拡張装置が接続される装置本体と、該装置本体に取り付けられるバッテリーとを備えた情報処理装置における電力制御機構であって、
外部接続用拡張装置、装置本体及びバッテリーの電力状態を監視し、外部接続用拡張装置、装置本体及びバッテリーの合計の消費電力が一定値以上となったときに、バッテリーの充電電力を制限して装置本体及びバッテリーの合計の消費電力が所定値を越えないように制御した
ことを特徴とする情報処理装置における電力制御機構。
【請求項４】
外部接続用拡張装置、装置本体及びバッテリーの合計の消費電力が上記一定値未満の場合に、装置本体及びバッテリーの合計の消費電力が規定値を越えないように制御し、
外部接続用拡張装置、装置本体及びバッテリーの合計の消費電力が上記一定値以上となった場合に、装置本体及びバッテリーの合計の消費電力が規定値より低い上記所定値を越えないように制御した
ことを特徴とする請求項３に記載の情報処理装置における電力制御機構。
【発明の詳細な説明】
【技術分野】
【０００１】
本発明は情報処理装置及び情報処理装置における電力制御機構についての技術分野に関する。詳しくは、バッテリーの充電電力を制限して情報処理装置の省電力化を図る技術分野に関する。
【背景技術】
【０００２】
情報処理装置、例えば、パーソナルコンピューターにはデスクトップ型、タワー型、ノートブック型、タブレット一体型等の各種の形態が存在するが、特に、接続ポートのスペースを確保し難いノートブック型、タブレット一体型のパーソナルコンピューターは、その装置本体に接続される外部接続用拡張装置、例えば、ポートリプリケーター、ドッキングステーション等を備えているものがある（例えば、特許文献１参照）。
【０００３】
ポートリプリケーター等の外部接続用拡張装置は、パラレルポート、シリアルポート、ＵＳＢ（Universal Serial Bus）ポート等の各種のポートを有し、例えば、ポートリプリケーターが装置本体に接続されることにより、ポートリプリケーターの各ポートに接続されるプリンター、スキャナー、ディスプレイ装置等の複数の外部接続機器と装置本体との接続が可能とされる。
【０００４】
このようなパーソナルコンピューター等の情報処理装置には、装置本体に対して電力を供給するバッテリーを備え、商用電源による駆動の他、バッテリー駆動が可能とされているものがある。
【０００５】
バッテリーを備えた従来の情報処理装置においては、バッテリーの充電電力制御機構によって、バッテリーの充電電力が制限されてバッテリーの充電電力と装置本体の消費電力の合計電力が予め定められた一定値を越えないように制御されていた。
【０００６】
【特許文献１】特開２００１−５５７３号公報
【発明の開示】
【発明が解決しようとする課題】
【０００７】
ところが、上記した従来の情報処理装置にあっては、ポートリプリケーターが装置本体に接続された状態において、ポートリプリケーターの消費電力については考慮されていないため、商用電源を供給するためのＡＣアダプターやバッテリーの電力定格は、バッテリーの充電電力と装置本体の消費電力の合計である上記一定値の電力に加えポートリプリケーターの最大消費電力の合計以上が必要となり、特に、ポートリプリケーターの消費電力が大きい場合には、その分、電力定格も大きくなってしまうという不具合があった。
【０００８】
そこで、本発明情報処理装置及び情報処理装置における電力制御機構は、上記した問題点を克服し、情報処理装置の省電力化を図ることを課題とする。
【課題を解決するための手段】
【０００９】
本発明情報処理装置及び情報処理装置における電力制御機構は、上記した課題を解決するために、外部接続用拡張装置、装置本体及びバッテリーの電力状態を監視し、外部接続用拡張装置、装置本体及びバッテリーの合計の消費電力が一定値以上となったときに、バッテリーの充電電力を制限して装置本体及びバッテリーの合計の消費電力が所定値を越えないように制御したものである。
【００１０】
従って、本発明情報処理装置及び情報処理装置における電力制御機構にあっては、外部接続用拡張装置の消費電力が考慮された電力制御が行われる。
【発明の効果】
【００１１】
本発明情報処理装置は、各種の接続ポートが設けられ該接続ポートに外部接続機器が接続される外部接続用拡張装置と、該外部接続用拡張装置が接続される装置本体と、該装置本体に取り付けられるバッテリーとを備えた情報処理装置であって、外部接続用拡張装置、装置本体及びバッテリーの電力状態を監視し、外部接続用拡張装置、装置本体及びバッテリーの合計の消費電力が一定値以上となったときに、バッテリーの充電電力を制限して装置本体及びバッテリーの合計の消費電力が所定値を越えないように制御したことを特徴とする。
【００１２】
従って、外部接続用拡張装置が接続されたときの情報処理装置の消費電力を外部接続用拡張装置の電力を低下させることなく一定以下にして情報処理装置の省電力化を図ることができ、商用電源を供給するためのＡＣアダプターやバッテリーの電力定格を小さくすることができる。
【００１３】
請求項２に記載した発明にあっては、外部接続用拡張装置、装置本体及びバッテリーの合計の消費電力が上記一定値未満の場合に、装置本体及びバッテリーの合計の消費電力が規定値を越えないように制御し、外部接続用イン、装置本体及びバッテリーの合計の消費電力が上記一定値以上となった場合に、装置本体及びバッテリーの合計の消費電力が規定値より低い上記所定値を越えないように制御したので、合計の消費電力が一定値未満の場合と合計の電力が一定値以上のとなった場合の双方の場合について、効率的な電力制御を行うことができる。
【００１４】
本発明情報処理装置における電力制御機構は、各種の接続ポートが設けられ該接続ポートに外部接続機器が接続される外部接続用拡張装置と、該外部接続用拡張装置が接続される装置本体と、該装置本体に取り付けられるバッテリーとを備えた情報処理装置における電力制御機構であって、外部接続用拡張装置、装置本体及びバッテリーの電力状態を監視し、外部接続用拡張装置、装置本体及びバッテリーの合計の消費電力が一定値以上となったときに、バッテリーの充電電力を制限して装置本体及びバッテリーの合計の消費電力が所定値を越えないように制御したことを特徴とする。
【００１５】
従って、外部接続用拡張装置が接続されたときの情報処理装置の消費電力を外部接続用拡張装置の電力を低下させることなく一定以下にして情報処理装置の省電力化を図ることができ、商用電源を供給するためのＡＣアダプターやバッテリーの電力定格を小さくすることができる。
【００１６】
請求項４に記載した発明にあっては、外部接続用拡張装置が装置本体に接続されていない場合に、装置本体及びバッテリーの合計の消費電力が規定値を越えないように制御し、外部接続用拡張装置が装置本体に接続されていない場合に、装置本体及びバッテリーの合計の消費電力が規定値より低い上記所定値を越えないように制御したので、外部接続用拡張装置が装置本体に接続されていない場合と外部接続用拡張装置が装置本体に接続された場合の双方の場合について、効率的な電力制御を行うことができる。
【発明を実施するための最良の形態】
【００１７】
以下に、本発明情報処理装置及び情報処理装置における電力制御機構の最良の形態を添付図面に従って説明する。
【００１８】
尚、本発明情報処理装置は、パーソナルコンピューター等の情報処理装置、ＰＤＡ（Personal Digital Assistant）、ネットワーク端末、携帯情報端末、ワークステーション等の各種の情報処理装置に広く適用することができ、本発明電力制御機構は、これらの各種の情報処理装置における電力制御機構に広く適用することができる。
【００１９】
情報処理装置１は装置本体２と該装置本体２の背面に取り付けられた扁平なバッテリー３と装置本体２に接続される外部接続用拡張装置としてポートリプリケーター４とを備えている。
【００２０】
装置本体２は筐体５に所要の各部が配置されて成る（図１参照）。筐体５は、例えば、横長の扁平な矩形状に形成され、前面５ａにディスプレイ６、例えば、液晶パネルが設けられている。
【００２１】
情報処理装置１にあっては、ディスプレイ６がタッチパネル（タブレット）とされており、ディスプレイ６に表示された表示画面の所定の位置を指や図示しない専用の入力ペン（スタイラス）によってタップすることにより選択操作や入力操作等の各種の操作を行うことができる。
【００２２】
装置本体２はハードウエア構成として、本体装置部１００と接続装置部（インターフェース装置部）２００とを有している。
【００２３】
図２は、情報処理装置のハードウェア構成例を示したものである。
【００２４】
先ず、本体装置部１００内の構成について説明する。
【００２５】
制御中枢であるＣＰＵ１０１は、バス（FSB:Front Side Bus）を介して制御装置１０２に接続されている。制御装置１０２はメインメモリ１０３の制御やグラフィック機能に係る制御を担当し、主に大量データを高速に処理する役目をもつ。ＡＴ互換機では「ノースブリッジ」と呼ばれ、本例に示す制御装置１０２には、ＣＰＵ１０１、メインメモリ１０３、制御装置１０４、液晶表示デバイス等のグラフィック表示装置１０５（上記ディスプレイ６と同じ）が接続されている。
【００２６】
制御装置１０４は、ユーザインターフェース用の制御デバイス等を主に制御するものであり、デバイスのバスリンク等を行う。ＡＴ互換機では「サウスブリッジ」と呼ばれ、「PCI to ISA bridge」では、バス（ＰＣＩ:Peripheral Component Interconnect bus）を低速なバス（ＩＳＡ:Industry Standard Architecture bus等）に橋渡しする役目をもち、ＩＳＡコントローラ、ＩＤＥ（Integrated Drive Electronics）コントローラ等の機能を有する。
【００２７】
バス（ＰＣＩバス）には、無線通信用デバイス１０６としてのワイヤレス（無線式）ＬＡＮ（Ｗ−ＬＡＮ）や、外部メモリや外部機器との接続や制御を行うためのデバイス１０７が接続されている。外部メモリとしては、本体装置部１００への着脱が可能な半導体メモリ装置、例えば、スティック状のメモリ媒体のデータを読み書きするための制御用デバイス１０８や、カード型の記憶媒体の制御用デバイス１０９が設けられている。また、デバイス１０７は外部機器との接続用インターフェース（例えば、シリアルデバイスをコンピュータに追加するためのハードウェアの仕様を定義する「IEEE 1394」等）の機能を有する。
【００２８】
制御装置１０４には、ＬＡＮ（Local Area Network）用の接続用デバイス１１０が接続されるとともに、タッチ式パネル等を用いた入力用デバイス１１１がＵＳＢ（Universal Serial Bus）ポートに接続されている。
【００２９】
補助記憶装置１１２には、例えば、磁気ディスクや光学式ディスクを用いたドライブ装置が用いられるが、本例では、ハードディスク等の大容量記憶媒体を用いたドライブ装置が用いられ、制御装置１０４（内のＩＤＥコントローラ）に接続される。
【００３０】
また、制御装置１０４に接続されているオーディオ信号処理部（Audio Codec）１１３は、ディジタル−アナログ変換されたオーディオ信号を、例えば、スピーカ１１４やヘッドフォン１１５に送出して音声を出力する。あるいは、マイクロフォンを備えた装置形態では、音声入力データをディジタル化する処理等を行う。
【００３１】
記憶装置１１６には、コンピュータを動作させるための制御プログラム等が格納されており、ＬＰＣ(Low Pin Count：シリアルバス）等を用いて制御装置１０４、１１７に接続されている。
【００３２】
制御装置１１７は、各種の信号の制御を行う汎用装置であり、例えば、「ＥＣ」（Embedded Controller：組み込みコントローラ）が用いられ、キーボードコントローラの機能や、システムの電源制御やシステムの付加機能等についての制御を行う（携帯型機器等ではマイクロコンピュータが搭載されている。）。尚、記憶装置１１６内の制御プログラムを変更することによってコンピュータの制御方法を変えることができる。
【００３３】
スティック型ポインティングデバイス（トラックポイント等）を構成する操作デバイス１１８（後述するポインティングデバイス４ｈ）は、制御装置１１７のポート（ＰＳ／２（Personal System/2）ポート等）に接続されている。また、本体装置部１００に設けられたスイッチや操作釦等を含む操作部１１９からの信号が制御装置１１７に送出される。
【００３４】
本体装置部１００に外部機器を直接的に接続するための接続部１２０としては、ＵＳＢコネクタが設けられており、接続部１２０は制御装置１１７に接続されている。
【００３５】
尚、図示しない電源部には、ＡＣアダプターからの商用電源電圧の供給、あるいは二次電池や燃料電池等を用いた上記したバッテリー３からの直流電源供給が行われる。例えば、上記ＥＣ（制御装置１１７）は、ＡＣアダプターやバッテリー３等の接続や装着の状態を検出したり、バッテリー３の残量等を含む各種の管理情報を保持している。
【００３６】
次に、接続装置部２００の構成について説明する。
【００３７】
本体装置部１００については、コネクタ等の接続手段を介して接続装置部２００に接続することにより、図示しない外部機器との間で信号伝送が行われる。
【００３８】
ＶＧＡ(Video Grapthics Array)コネクタ等で外部の表示装置を接続するためのコネクタ部２０１は、本体装置部１００内の制御装置１０２に接続され、これにより外部ディスプレイ装置に対して画像信号等が出力される。
【００３９】
また、「IEEE 1394」規格に準拠した外部機器等を接続するためのコネクタ部２０２が、本体装置部１００内の上記デバイス１０７に接続され、ＬＡＮケーブル等を接続するためのコネクタ部２０３が本体装置部１００内の上記デバイス１１０に接続されるようになっている。
【００４０】
本体装置部１００内の制御装置１０４に接続される集線用デバイス２０４には、ＵＳＢハブが用いられ、本例では、接続装置部２００に４つのＵＳＢコネクタ２０５、２０５、…が付設され、各ＵＳＢコネクタ２０５、２０５、・・・が集線用デバイス２０４（ＵＳＢハブ）に接続されている。
【００４１】
筐体５の所定の位置には、複数の操作釦７、７、・・・が設けられている。操作釦７、７、・・・としては、例えば、センター釦７ａ、左釦７ｂ、右釦７ｃ、ズーム釦７ｄ、ローテーション釦７ｅ、エンター釦７ｆ、カーソルキー７ｇ、ポインティングデバイス７ｈ、ファンクション選択釦７ｉ、起動釦７ｊ、輝度変更釦７ｋ等が設けられている。
【００４２】
センター釦７ａ、左釦７ｂ、右釦７ｃはそれぞれマウスの各釦に相当する釦であり、ズーム釦７ｄはディスプレイ６に表示される表示画面の拡大縮小、即ち、解像度の変更を行う釦であり、ローテーション釦７ｅは表示画面を９０°回転させる釦であり、エンター釦７ｆはキーボードのエンターキーに相当し操作の実行や確定を行う釦であり、カーソルキー７ｇはディスプレイ６に表示されるカーソルを上下左右に移動させる等の釦であり、ポインティングデバイス７ｈはディスプレイ６に表示されるポインターを移動させる等の釦であり、ファンクション選択釦７ｉは出力される音量の変更や外付けのディスプレイへの出力の切替等を行う釦であり、起動釦７ｊは特定のソフトウェアを起動する釦であり、輝度変更釦７ｋはディスプレイ６の輝度を変更する釦である。
【００４３】
情報処理装置１には、筐体５の側面５ｂにポートリプリケーター４を接続するための接続コネクター７ｌが設けられている。
【００４４】
ポートリプリケーター４は、図４及び図５に示すように、本体８と該本体８に取り付けられた接続用ガイド９とを有し、本体８にコネクター８ａやパラレルポート、シリアルポート、ＵＳＢ（Universal Serial Bus）ポート等の各種のポートが設けられている。
【００４５】
装置本体２を接続用ガイド９に沿ってスライドさせることにより、接続コネクター７ｌにコネクター８ａが接続されて装置本体２にポートリプリケーター４が接続される（図５参照）。装置本体２にポートリプリケーター４が接続された状態において、ポートリプリケーター４の各ポートに接続されるプリンター、スキャナー、ディスプレイ装置等の複数の外部接続機器と装置本体２との接続が可能とされる。
【００４６】
以下に、情報処理装置１の電力制御機構について説明する（図６及び図７参照）。
【００４７】
先ず、第１の電力制御機構１０について説明する（図６参照）。
【００４８】
第１の電力制御機構１０はパワーチェッカー１１、パワーリミッター１２、チャージャー１３及び上記制御装置（ＥＣ）１１７を備えている。
【００４９】
パワーチェッカー１１はポートリプリケーター４に設けられ、該ポートリプリケーター４の電力値であるポート電力値Ａを監視する監視手段として機能する。尚、パワーチェッカー１１は装置本体２に設けられていてもよい。
【００５０】
パワーリミッター１２は装置本体２に設けられ、バッテリー３の電力値であるバッテリー電力値（充電電力値）Ｂと装置本体２の電力値である本体電力値Ｃとを監視する監視手段として機能する。
【００５１】
チャージャー１３は装置本体２に設けられ、バッテリー電力値Ｂと本体電力値Ｃを監視し、両者の合計電力Ｓが予め定められた規定値Ｅを越えないようにバッテリー電力値Ｂを制限して情報処理装置１の電力値を制御する制御手段として機能する。チャージャー１３はバッテリー電力値Ｂを制限する制限回路１３ａを有している。
【００５２】
規定値Ｅは、例えば、３０Ｗとされている。尚、本例においては、例えば、装置本体２の最大消費電力が１５Ｗとされ、バッテリー３の最大消費電力が約２０Ｗとされ、ポートリプリケーター４の最大消費電力が約２５Ｗとされている。
【００５３】
以上のように構成された第１の電力制御機構１０において、装置本体２にポートリプリケーター４が接続されると、パワーチェッカー１１によって監視されているポート電力値ＡがPWRSENSEメッセージとしてパワーリミッター１２に出力される。パワーリミッター１２においては、バッテリー電力値Ｂと本体電力値Ｃが監視されており、PWRSENSEメッセージとして受信したポート電力値Ａとバッテリー電力値Ｂ及び本体電力値Ｃとの合計電力Ｔが予め定められた一定値Ｄ以上になると、パワーリミッター１２からその旨がPWRLIMIT#メッセージとして制御装置１１７に出力される。
【００５４】
一定値Ｄは、例えば、４０Ｗとされている。従って、本例においては、合計電力Ｔが４０Ｗ以上になると、パワーリミッター１２から制御装置１１７にその旨のメッセージPWRLIMIT#が出力される。
【００５５】
制御装置１１７にPWRLIMIT#メッセージが入力されると、制御装置１１７によって合計電力Ｔが一定値Ｄ以上となったことが認識され、制御装置１１７からチャージャー１３にCHGLIMIT#メッセージが出力される。
【００５６】
チャージャー１３においては、バッテリー電力値Ｂと本体電力値Ｃの合計電力Ｓが規定値Ｅを越えないように制御されており、チャージャー１３にCHGLIMIT#メッセージが入力されると、規定値Ｅがこれより低い値の所定値Ｅ’、例えば、１０Ｗに変更されて制御される。即ち、バッテリー電力値Ｂと本体電力値Ｃの合計電力Ｓが所定値Ｅ’を越えないようにバッテリー電力値Ｂが制限される。従って、情報処理装置１における全体の最大消費電力は、ポートリプリケーター４の最大消費電力と所定値Ｅ’の合計となるように制御される。この最大消費電力は、上記したように、ポートリプリケーター４の最大消費電力が約２５Ｗ、所定値Ｅ’が１０Ｗであるため、約３５Ｗとされる。
【００５７】
以上のように、第１の電力制御機構１０においては、ポートリプリケーター４の電力値であるポート電力値Ａ、バッテリー３の電力値であるバッテリー電力値Ｂ及び装置本体２の電力値である本体電力値Ｃの３つの電力値が監視され、ポートリプリケーター４、装置本体２及びバッテリー３の合計消費電力Ｓが一定値Ｄ以上となったときに、バッテリー３の充電電力を制限して装置本体２及びバッテリー３の合計の消費電力が所定値Ｅ’を越えないように制御している。
【００５８】
従って、ポートリプリケーター４が接続されたときの情報処理装置１の消費電力をポートリプリケーター４の電力を低下させることなく一定以下にして情報処理装置１の省電力化を図ることができ、商用電源を供給するためのＡＣアダプターやバッテリー３の電力定格を小さくすることができる。
【００５９】
また、ポート電力値Ａ、バッテリー電力値Ｂ及び本体電力値Ｃの合計電力Ｔが一定値Ｄ未満の場合に、バッテリー電力値Ｂ及び本体電力値Ｃの合計電力Ｓが規定値Ｅを越えないように制御し、合計電力Ｔが一定値Ｄ以上となった場合に、合計電力Ｓが規定値Ｅより低い所定値Ｅ’を越えないように制御しているため、合計電力Ｔが一定値Ｄ未満の場合と合計電力Ｔが一定値Ｄ以上のとなった場合の双方の場合について、効率的な電力制御を行うことができる。
【００６０】
次に、第２の電力制御機構１４について説明する（図７参照）。尚、情報処理装置１にあっては、電力制御機構として上記第１の電力制御機構１０又は第２の電力制御機構１４を選択的に用いることが可能である。
【００６１】
第２の電力制御機構１４は接続監視部１５、チャージャー１６及び上記制御装置（ＥＣ）１１７を備えている。
【００６２】
接続検出部１５は、ポートリプリケーター４に設けられ、ポートリプリケーター４の装置本体２に対する接続状態を検出する検出手段として機能する。尚、接続検出部１５は装置本体２に設けられていてもよい。
【００６３】
チャージャー１６は装置本体２に設けられ、バッテリー電力値（充電電力値）Ｂと本体電力値Ｃを監視し、両者の合計電力Ｓが予め定められた規定値Ｅを越えないようにバッテリー電力値Ｂを制限して情報処理装置１の電力値を制御する制御手段として機能する。チャージャー１６はバッテリー電力値Ｂを制限する制限回路１６ａを有している。
【００６４】
規定値Ｅは、例えば、３０Ｗとされている。尚、本例においては、例えば、装置本体２の最大消費電力が１５Ｗとされ、バッテリー３の最大消費電力が約２０Ｗとされ、ポートリプリケーター４の最大消費電力が約２５Ｗとされている。
【００６５】
以上のように構成された第２の電力制御機構１４において、装置本体２にポートリプリケーター４が接続されると、接続検出部１５からPORTRED#メッセージが制御装置１１７に出力される。
【００６６】
制御装置１１７にPORTRED#メッセージが入力されると、制御装置１１７によってポートリプリケーター４が装置本体２に接続されたことが認識され、制御装置１１７からチャージャー１６にCHGLIMIT#メッセージが出力される。
【００６７】
チャージャー１６においては、バッテリー電力値Ｂと本体電力値Ｃの合計電力Ｓが規定値Ｅを越えないように制御されており、チャージャー１６にCHGLIMIT#メッセージが入力されると、規定値Ｅがこれより低い値の所定値Ｅ’、例えば、１０Ｗに変更されて制御される。即ち、バッテリー電力値Ｂと本体電力値Ｃの合計電力Ｓが所定値Ｅ’を越えないようにバッテリー電力値Ｂが制限される。従って、情報処理装置１における全体の最大消費電力は、ポートリプリケーター４の最大消費電力と所定値Ｅ’の合計となるように制御される。この最大消費電力は、上記したように、ポートリプリケーター４の最大消費電力が約２５Ｗ、所定値Ｅ’が１０Ｗであるため、約３５Ｗとされる。
【００６８】
以上のように、第２の電力制御機構１４においては、ポートリプリケーター４の装置本体２に対する接続の有無が検出され、ポートリプリケーター４が装置本体２に接続されたことが検出されたときに、バッテリー３の充電電力を制限して装置本体２及びバッテリー３の合計の消費電力が所定値Ｅ’を越えないように制御している。
【００６９】
従って、ポートリプリケーター４が接続されたときの情報処理装置１の消費電力をポートリプリケーター４の電力を低下させることなく一定以下にして情報処理装置１の省電力化を図ることができ、商用電源を供給するためのＡＣアダプターやバッテリー３の電力定格を小さくすることができる。
【００７０】
また、第２の電力制御機構１４にあっては、ポートリプリケーター４の装置本体２に対する接続の有無によって電力制御を行うようにしているため、ポート電力値Ａを監視する監視手段やポートリプリケーター４、装置本体２及びバッテリー３の合計電力Ｓを把握する手段が必要なく、電力制御機構の簡素化を図ることができる。
【００７１】
さらに、ポートリプリケーター４が装置本体２に接続されていない場合に、バッテリー電力値Ｂ及び本体電力値Ｃの合計電力Ｓが規定値Ｅを越えないように制御し、ポートリプリケーター４が装置本体２に接続された場合に、合計電力Ｓが規定値Ｅより低い所定値Ｅ’を越えないように制御しているため、ポートリプリケーター４が装置本体２に接続されていない場合とポートリプリケーター４が装置本体２に接続された場合の双方の場合について、効率的な電力制御を行うことができる。
【００７２】
尚、上記には、外部接続用拡張装置の例としてポートリプリケーター４を示したが、外部接続用拡張装置はポートリプリケーター４に限られることはなく、例えば、ドッキングステーション等であってもよい。
【００７３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７４】
【図１】図２乃至図７と共に本発明の最良の形態を示すものであり、本図はバッテリーが取り付けられた装置本体の斜視図である。
【図２】装置本体のハードウェア構成例を示したブロック図である。
【図３】バッテリーが取り付けられた装置本体の背面側を図１とは異なる角度から見た状態で示す斜視図である。
【図４】ポートリプリケーターが装置本体から取り外された状態を示す斜視図である。
【図５】ポートリプリケーターが装置本体に接続された状態を示す斜視図である。
【図６】第１の電力制御機構を示すブロック図である。
【図７】第２の電力制御機構を示すブロック図である。
【符号の説明】
【００７５】
１…情報処理装置、２…装置本体、３…バッテリー、４…ポートリプリケーター（外部接続用拡張装置）、１０…第１の電力制御機構、１４…第２の電力制御機構
【図１】
2005321973.tif 000003
【図２】
2005321973.tif 000004
【図３】
2005321973.tif 000005
【図４】
2005321973.tif 000006
【図５】
2005321973.tif 000007
【図６】
2005321973.tif 000008
【図７】
2005321973.tif 000009